(57)【要約】  第１のプレスユニット２は、１部ずつ折り目ｆを先頭にして供給される折丁Ｓを折り目に沿ってプレスする。第１のプレスユニットの後段に、第１のプレスユニットから受け取った折丁を、折り目が搬送方向に直交するように姿勢制御しつつ搬送する折丁搬送ユニット３が配置される。折丁搬送ユニットの後段に、折丁搬送ユニットから受け取った折丁の上面の両側縁に糊を適用する糊付けユニット４が配置される。糊付けユニットの後段に、糊付けユニットから受け取った折丁を順次、突き揃えしつつ積み重ねてブックブロックＢを形成する集積ユニット５が配置される。集積ユニットの後段に、集積ユニットから受け取ったブックブロックを折り目に沿ってプレスした後、排出する第２のプレスユニット６が配置される。
2016207977.tif 000002
【特許請求の範囲】
【請求項１】
入口および出口を有するフレームと、
前記フレームの入口に取り付けられ、１部ずつ折り目を先頭にして供給される折丁を折り目に沿ってプレスする第１のプレスユニットと、
前記フレームに取り付けられて前記第１のプレスユニットの後段に配置され、前記第１のプレスユニットから受け取った折丁を、折り目が搬送方向に直交するように姿勢制御しつつ搬送する折丁搬送ユニットと、
前記フレームに取り付けられて前記折丁搬送ユニットの後段に配置され、前記折丁搬送ユニットから受け取った折丁の上面の両側縁に糊を適用する糊付けユニットと、
前記フレームに取り付けられて前記糊付けユニットの後段に配置され、前記糊付けユニットから受け取った折丁を順次、突き揃えしつつ積み重ねてブックブロックを形成する集積ユニットと、
前記フレームに取り付けられて前記集積ユニットの後段に配置され、前記集積ユニットから受け取ったブックブロックを上下にプレスした後、前記フレームの出口から排出する第２のプレスユニットと、を備えたものであることを特徴とするブックブロック形成装置。
【請求項２】
前記糊付けユニットは、
前記フレームに取り付けられ、前記折丁搬送ユニットから受け取った折丁を搬送する第１のベルトコンベヤと、
前記フレームに取り付けられ、前記第１のベルトコンベヤの上方において前記ベルトコンベヤを直角に横切ってのびるスライドガイドと、
前記スライドガイドに対してスライド可能に取り付けられるとともに、１つまたは複数の下向きの糊噴射ノズルを備え、前記第１のベルトコンベヤ上を搬送される前記折丁の上面の両側縁に対し糊を噴出する一対の糊放出ヘッドと、
前記フレームに取り付けられ、前記一対の糊放出ヘッドをスライドさせる第１の駆動機構と、
前記一対の糊放出ヘッドの上流側に配置され、前記折丁の前端の通過を検出する第１のセンサーと、を有し、前記第１のセンサーから出力される検出信号に基づいて前記一対の糊放出ヘッドが動作することを特徴とする請求項１に記載のブックブロック形成装置。
【請求項３】
前記糊付けユニットの前記第１の駆動機構は、
前記第１のベルトコンベヤの上方両側に配置され、それぞれ前記スライドガイドに平行にのびるとともに、前記フレームに対して軸まわりに回転可能に支持された一対のボールねじと、
前記フレームに取り付けられて前記第１のベルトコンベヤの両側に配置され、それぞれ対応する前記ボールねじを回転させる一対のモータと、
前記一対のボールねじのそれぞれに係合する各１つのナット部材と、を有し、前記ナット部材には、対応する前記糊放出ヘッドが連結されていることを特徴とする請求項２に記載のブックブロック形成装置。
【請求項４】
前記集積ユニットは、
前記糊付けユニットの前記第１のベルトコンベヤの出力端の後方に配置され、その上に前記第１のベルトコンベヤから排出された前記折丁が積層される昇降可能な棚と、
前記フレームに取り付けられ、前記棚を昇降させる第２の駆動機構と、
前記フレームに取り付けられ、前記棚の最上位の折丁の高さ位置を検出する高さ検出センサーと、を有し、前記高さ検出センサーからの検出信号に基づき、前記折丁の積層体の高さが一定量増加する毎に、それに対応する量だけ前記棚が下降するようになっており、
前記集積ユニットは、さらに、
前記棚上の前記積層体の前後面を突き揃える第１の突き揃え機構と、
前記棚上の前記積層体の両側面を突き揃える第２の突き揃え機構と、を有し、
前記第１の突き揃え機構は、
前記フレームに取り付けられ、前記棚の上流側端縁の近傍において前記棚に対し垂直にかつ前記折丁の搬送方向に対し直角にのびる後方揃え板と、
前記後方揃え板の下流側に前記後方揃え板から間隔をあけて前記後方揃え板に平行に配置され、前記後方揃え板と協働して前記積層体の前後面上部を突き揃える前方揃え板と、
前記フレームに取り付けられ、前記前方揃え板を前記折丁の搬送方向に往復運動させる第３の駆動機構と、を備え、
前記第２の突き揃え機構は、
前記棚の両側に配置されて前記棚に対し垂直にかつ前記折丁の搬送方向にのび、前記積層体の両側面上部を突き揃える一対の側方揃え板と、
前記フレームに取り付けられ、前記一対の側方揃え板を一定間隔を維持した状態で前記折丁の搬送方向に直角な方向に往復運動させる第４の駆動機構と、を備えており、
前記集積ユニットは、さらに、
最低位置まで下降した前記棚から前記ブックブロックを前記第２のプレスユニットに向けて押し出す押出し機構を有していることを特徴とする請求項３に記載のブックブロック形成装置。
【請求項５】
前記第１のプレスユニットは、
上下に並んでかつ前記折丁の搬送方向を直角に横切って配置され、前記フレームに対して軸まわりに回転可能に支持された一対の水平なプレスローラと、
前記フレームに取り付けられ、前記一対の水平なプレスローラを回転させる第５の駆動機構と、を有していることを特徴とする請求項４に記載のブックブロック形成装置。
【請求項６】
前記第２のプレスユニットは、
前記集積ユニットの前記棚から前記押し出し機構によって押し出された前記ブックブロックを前記フレームの出口まで搬送する水平な第３のベルトコンベヤを有し、前記第３のベルトコンベヤの搬送面の中間にはプレスステーションが設けられており、
前記第２のプレスユニットは、さらに、
前記プレスステーションの上方において、前記第３のベルトコンベヤの幅方向に間隔をあけて配置されるとともに、それぞれ前記ブックブロックの搬送方向にのびる一対の昇降可能な押圧プレートと、
前記一対の押圧プレートを同時に昇降させる第６の駆動機構と、を有し、前記一対の押圧プレートは、前記第３のベルトコンベヤ上の前記ブックブロックから上方に離間した待機位置と、前記ブックブロックの上面両側を下向きに押し付ける押圧位置とをとるようになっており、
前記第２のプレスユニットは、さらに、
前記ブックブロックが前記プレスステーションに達したときを検出する第２のセンサーを有し、前記第２のセンサーから検出信号が出力されたときに前記第３のベルトコンベヤが一時停止し、その停止の間に、前記一対の押圧プレートが前記待機位置から前記押圧位置まで下降した後、再び前記待機位置まで上昇することを特徴とする請求項５に記載のブックブロック形成装置。
【請求項７】
前記折丁搬送ユニットは、
前記フレームに取り付けられて前記折丁の搬送方向に対し角度をなして配置され、前記折丁を前記第１のプレスユニットから前記第１のベルトコンベヤまで搬送する水平な第３のベルトコンベヤと、
前記第３のベルトコンベヤの搬送面上において前記折丁の搬送方向にのびる揃え定規と、
前記フレームに取り付けられ、前記揃え定規を支持するとともに、前記折丁の搬送方向に直交する方向に動かす第７の駆動機構と、を有していることを特徴とする請求項６に記載のブックブロック形成装置。
【発明の詳細な説明】
【技術分野】
【０００１】
本発明は、丁合された折丁からなるブックブロックを形成する装置に関するものである。
【背景技術】
【０００２】
通常の製本工程では、印刷された複数枚の用紙をそれぞれ１または複数回折り畳んで一冊分の折丁を形成し、それらの折丁を丁合してブックブロックを形成し、このブックブロックの背面を切削し、次いで背面に糊を塗布した後、表紙を貼着し、その後三方断裁を行うことによって、一冊の本が製造される。【０００３】
そして、従来技術においては、折丁を丁合してブックブロックを形成するブックブロック形成装置がいくつか知られている。
例えば、特許文献１に記載された装置においては、印刷された複数の用紙がそれぞれその長手方向（用紙の搬送方向）に２つ折りまたは３つ折りにされて折丁とされた後、各折丁の折り目（３つ折りの場合は、一対の折り目のうちの一方）の近傍に当該折り目に沿って接着剤が塗布され、それらの折丁が順次集積されて、ブックブロックが形成される。【０００４】
この装置によれば、ブックブロックを形成する折丁が互いに接着され、ブックブロック内の各折丁の位置がずれないので、後続の工程で改めて折丁を揃える必要がなくなる。【０００５】
図５Ｂは、このブックブロックの側面図である。図５Ｂを参照して、ブックブロックＫにおける接着剤の塗布領域に近い側面Ｋ１は背を形成し、その反対側の側面Ｋ２は小口を形成する。
そして、後続の工程では、図５Ｃに示すように、ブックブロックＫの背Ｋ１に切削および糊塗布がなされた後、表紙Ｖが貼着される。その後、表紙Ｖが貼着されたブックブロックＫの小口Ｋ２と天地が三方断裁されて、１冊の本が完成する。【０００６】
しかし、こうして製造された本には、ブックブロックＫの形成時の折丁Ｍ間の接着部ｗが本ののどに残り、本の開きが悪くなるという問題があった。
また、上述のブックブロック形成装置では、折丁Ｍの折り畳みが十分でないので、図５Ｂに示すように、折丁Ｍは折り目ｎ側（背Ｋ１）がその反対側（小口Ｋ２）よりも嵩高となった状態で集積される。こうして、背Ｋ１が反り返った状態のブックブロックＫが形成される（図５Ｂ参照）。
そして、このブックブロックＫが後続の工程へ送られると、ブックブロックＫがプレスされる等したときに、ブックブロックＫの反り返りが原因で折丁Ｍに皺が生じて、製本の仕上がりが悪くなることがあった。これは、とりわけブックブロック当たりの折丁数が多い場合に、顕著である。
【先行技術文献】
【特許文献】
【０００７】
【特許文献１】特開２０１０−５２４３２号公報
【発明の概要】
【発明が解決しようとする課題】
【０００８】
したがって、本発明の課題は、高品質の製本をもたらすブックブロックを形成することができる装置を提供することにある。
【課題を解決するための手段】
【０００９】
上記課題を解決するため、本発明によれば、入口および出口を有するフレームと、前記フレームの入口に取り付けられ、１部ずつ折り目を先頭にして供給される前記折丁を折り目に沿ってプレスする第１のプレスユニットと、前記フレームに取り付けられて前記第１のプレスユニットの後段に配置され、前記第１のプレスユニットから受け取った折丁を、折り目が搬送方向に直交するように姿勢制御しつつ搬送する折丁搬送ユニットと、前記フレームに取り付けられて前記折丁搬送ユニットの後段に配置され、前記折丁搬送ユニットから受け取った折丁の上面の両側縁に糊を適用する糊付けユニットと、前記フレームに取り付けられて前記糊付けユニットの後段に配置され、前記糊付けユニットから受け取った折丁を順次、突き揃えしつつ積み重ねてブックブロックを形成する集積ユニットと、前記フレームに取り付けられて前記集積ユニットの後段に配置され、前記集積ユニットから受け取ったブックブロックを上下にプレスした後、前記フレームの出口から排出する第２のプレスユニットと、を備えたものであることを特徴とするブックブロック形成装置が提供される。
ここで、折丁の「折り目」とは、用紙が複数回折り畳まれて折丁が形成される場合には、最後の折り畳み工程で生じた折り目をいう。以下同様。【００１０】
本発明の好ましい実施例によれば、前記糊付けユニットは、前記フレームに取り付けられ、前記折丁搬送ユニットから受け取った折丁を搬送する第１のベルトコンベヤと、前記フレームに取り付けられ、前記第１のベルトコンベヤの上方において前記ベルトコンベヤを直角に横切ってのびるスライドガイドと、前記スライドガイドに対してスライド可能に取り付けられるとともに、１つまたは複数の下向きの糊噴射ノズルを備え、前記第１のベルトコンベヤ上を搬送される前記折丁の上面の両側縁に対し糊を噴出する一対の糊放出ヘッドと、前記フレームに取り付けられ、前記一対の糊放出ヘッドをスライドさせる第１の駆動機構と、前記一対の糊放出ヘッドの上流側に配置され、前記折丁の前端の通過を検出する第１のセンサーと、を有し、前記第１のセンサーから出力される検出信号に基づいて前記一対の糊放出ヘッドが動作する。【００１１】
本発明の別の好ましい実施例によれば、前記糊付けユニットの前記第１の駆動機構は、前記第１のベルトコンベヤの上方両側に配置され、それぞれ前記スライドガイドに平行にのびるとともに、前記フレームに対して軸まわりに回転可能に支持された一対のボールねじと、前記フレームに取り付けられて前記第１のベルトコンベヤの両側に配置され、それぞれ対応する前記ボールねじを回転させる一対のモータと、前記一対のボールねじのそれぞれに係合する各１つのナット部材と、を有し、前記ナット部材には、対応する前記糊放出ヘッドが連結されている。【００１２】
本発明のさらに別の好ましい実施例によれば、前記集積ユニットは、前記糊付けユニットの前記第１のベルトコンベヤの出力端の後方に配置され、その上に前記第１のベルトコンベヤから排出された前記折丁が積層される昇降可能な棚と、前記フレームに取り付けられ、前記棚を昇降させる第２の駆動機構と、前記フレームに取り付けられ、前記棚の最上位の折丁の高さ位置を検出する高さ検出センサーと、を有し、前記高さ検出センサーからの検出信号に基づき、前記折丁の積層体の高さが一定量増加する毎に、それに対応する量だけ前記棚が下降するようになっており、前記集積ユニットは、さらに、前記棚上の前記積層体の前後面を突き揃える第１の突き揃え機構と、前記棚上の前記積層体の両側面を突き揃える第２の突き揃え機構と、を有し、前記第１の突き揃え機構は、前記フレームに取り付けられ、前記棚の上流側端縁の近傍において前記棚に対し垂直にかつ前記折丁の搬送方向に対し直角にのびる後方揃え板と、前記後方揃え板の下流側に前記後方揃え板から間隔をあけて前記後方揃え板に平行に配置され、前記後方揃え板と協働して前記積層体の前後面上部を突き揃える前方揃え板と、前記フレームに取り付けられ、前記前方揃え板を前記折丁の搬送方向に往復運動させる第３の駆動機構と、を備え、前記第２の突き揃え機構は、前記棚の両側に配置されて前記棚に対し垂直にかつ前記折丁の搬送方向にのび、前記積層体の両側面上部を突き揃える一対の側方揃え板と、前記フレームに取り付けられ、前記一対の側方揃え板を一定間隔を維持した状態で前記折丁の搬送方向に直角な方向に往復運動させる第４の駆動機構と、を備えており、前記集積ユニットは、さらに、最低位置まで下降した前記棚から前記ブックブロックを前記第２のプレスユニットに向けて押し出す押出し機構を有している。【００１３】
本発明のさらに別の好ましい実施例によれば、前記第１のプレスユニットは、上下に並んでかつ前記折丁の搬送方向を直角に横切って配置され、前記フレームに対して軸まわりに回転可能に支持された一対の水平なプレスローラと、前記フレームに取り付けられ、前記一対の水平なプレスローラを回転させる第５の駆動機構と、を有している。【００１４】
本発明のさらに別の好ましい実施例によれば、前記第２のプレスユニットは、前記集積ユニットの前記棚から前記押し出し機構によって押し出された前記ブックブロックを前記フレームの出口まで搬送する水平な第３のベルトコンベヤを有し、前記第３のベルトコンベヤの搬送面の中間にはプレスステーションが設けられており、前記第２のプレスユニットは、さらに、前記プレスステーションの上方において、前記第３のベルトコンベヤの幅方向に間隔をあけて配置されるとともに、それぞれ前記ブックブロックの搬送方向にのびる一対の昇降可能な押圧プレートと、前記一対の押圧プレートを同時に昇降させる第６の駆動機構と、を有し、前記一対の押圧プレートは、前記第３のベルトコンベヤ上の前記ブックブロックから上方に離間した待機位置と、前記ブックブロックの上面両側を下向きに押し付ける押圧位置とをとるようになっており、前記第２のプレスユニットは、さらに、前記ブックブロックが前記プレスステーションに達したときを検出するセンサーを有し、前記センサーから検出信号が出力されたときに前記第３のベルトコンベヤが一時停止し、その停止の間に、前記一対の押圧プレートが前記待機位置から前記押圧位置まで下降した後、再び前記待機位置まで上昇する。【００１５】
本発明のさらに別の好ましい実施例によれば、前記折丁搬送ユニットは、前記フレームに取り付けられて前記折丁の搬送方向に対し角度をなして配置され、前記折丁を前記第１のプレスユニットから前記第１のベルトコンベヤまで搬送する水平な第３のベルトコンベヤと、前記第３のベルトコンベヤの搬送面上において前記折丁の搬送方向にのびる揃え定規と、前記フレームに取り付けられ、前記揃え定規を支持するとともに、前記折丁の搬送方向に直交する方向に動かす第７の駆動機構と、を有している。
【発明の効果】
【００１６】
本発明によれば、１部ずつ供給される折丁が、第１のプレスユニットによって折り目に沿ってプレスされた後、折丁搬送ユニットによって姿勢制御されつつ搬送され、次いで、糊付けユニットにおいて、折丁上面における折り目に直交する両側縁に糊が適用され、集積ユニットにおいて、折丁が順次集積されることによってブックブロックが形成され、さらに、第２のプレスユニットにおいて、ブックブロックが上下にプレスされる。【００１７】
このブックブロックの前面（折丁の折り目側の端面）、後面（折丁の折り目と反対側の端面）、および両側面は、それぞれ当該ブックブロックの背、小口および天地を形成し、後続の工程において、ブックブロックの背に切削、糊塗布および表紙付がなされた後、三方断裁によって、表紙が貼着されたブックブロックの小口および天地が断裁されて本が完成する。【００１８】
そして、ブックブロック形成時の折丁間の接着部は、三方断裁の際に切り落とされ、製造された本に残ることがない。そのため、本の開きがよくなる。
また、本発明によれば、折丁を一部ずつ第１のプレスユニットによって折り目に沿ってプレスした後、折丁を集積するので、ブックブロックの前面の反り返りが抑制され、それによって、ブックブロックが多数の折丁から形成される場合であっても、後続の工程において、折丁に皺が生じる等の製本エラーの発生が防止される。
この第１のプレスユニットによるプレスは、特に、用紙を長さ方向に２つ折りにした後、幅方向に２つ折りにする等、用紙を互いに直交する方向に複数回折り畳むことで形成した折丁からブックブロックを形成する場合に有効である。
【図面の簡単な説明】
【００１９】
【図１】本発明の１実施例によるブックブロック形成装置の概略構成を示す斜視図である。
【図２】（Ａ）はブックブロック形成装置の折丁搬送ユニットと糊付けユニットの接続部の斜視図であり、（Ｂ）は折丁が糊付けユニットのセンサーを通過する状態を示す平面図である。
【図３】（Ａ）はブックブロック形成装置の糊付けユニットの斜視図であり、（Ｂ）は糊付けユニットの側面図であり、（Ｃ）は、糊付けユニットによって糊が適用された折丁の平面図である。
【図４】（Ａ）はブックブロック形成装置の集積ユニットの斜視図であり、（Ｂ）は集積ユニットの突き揃え機構の動作を説明する平面図である。
【図５】（Ａ）は本発明のブックブロック形成装置によって形成されたブックブロックの側面図であり、（Ｂ）は従来のブックブロック形成装置によって形成されたブックブロックの斜視図であり、（Ｃ）は従来のブックブロック形成装置によって形成されたブックブロックに表紙が貼着された状態を示す側面図である。
【発明を実施するための形態】
【００２０】
以下、添付図面を参照しつつ、本発明の構成を好ましい実施例に基づいて説明する。
図１は、本発明の１実施例によるブックブロック形成装置の概略構成を示す斜視図である。
図１を参照して、本発明によるブックブロック形成装置は、入口１ａおよび出口１ｂを有するフレーム１と、フレーム１の入口１ａに取り付けられ、１部ずつ折り目ｆを先頭にして供給される折丁Ｓを折り目ｆに沿ってプレスする第１のプレスユニット２と、フレーム１に取り付けられて第１のプレスユニット２の後段に配置され、第１のプレスユニット２から受け取った折丁Ｓを、折り目ｆが搬送方向（矢印Ａ）に直交するように姿勢制御しつつ搬送する折丁搬送ユニット３とを備えている。
ここで、折丁Ｓの「折り目ｆ」とは、用紙が複数回折り畳まれて折丁が形成される場合には、最後の折り畳み工程で生じた折り目をいう。以下同様。
【００２１】
ブックブロック形成装置は、さらに、フレーム１に取り付けられて折丁搬送ユニット３の後段に配置され、折丁搬送ユニット３から受け取った折丁Ｓの上面の両側縁に糊Ｇを適用する糊付けユニット４と、フレーム１に取り付けられて糊付けユニット４の後段に配置され、糊付けユニット４から受け取った折丁Ｓを順次、突き揃えしつつ積み重ねてブックブロックＢを形成する集積ユニット５と、フレーム１に取り付けられて集積ユニット５の後段に配置され、集積ユニット５から受け取ったブックブロックＢを上下にプレスした後、フレーム１の出口１ｂから排出する第２のプレスユニット６とを備えている。
【００２２】
第１のプレスユニット２は、この実施例では、上下に並んでかつ折丁の搬送方向（矢印Ａ）を直角に横切って配置されて、フレーム１に対して軸まわりに回転可能に支持された一対の水平なプレスローラ７ａ、７ｂと、一対のプレスローラ７ａ、７ｂの上流側において、上下に並んでかつ一対のプレスローラ７ａ、７ｂに平行に配置され、フレーム１に対して軸まわりに回転可能に支持された一対の補助プレスローラ８ａ、８ｂと、フレーム１に取り付けられ、一対のプレスローラ７ａ、７ｂおよび一対の補助プレスローラ８ａ、８ｂを回転させるローラ駆動機構（図示はしない）とを有している。
なお、一対の補助プレスローラ８ａ、８ｂは必要に応じて備えられる。
【００２３】
また、フレーム１の入口１ａに、折丁供給ユニット９が連結され、本発明のブックブロック形成装置の上段に配置された紙折装置（図示はしない）から排出される折丁Ｓを１部ずつ一対の補助プレスローラ８ａ、８ｂ間に供給するようになっている。
この実施例では、折丁供給ユニット９は、上下に並んで配置された一対の水平なベルトコンベヤ９ａ、９ｂから構成され、折丁Ｓは一対のベルトコンベヤ９ａ、９ｂ間を搬送される。
【００２４】
こうして、折丁供給ユニット９から１部ずつ供給された折丁Ｓが、折り目ｆを先頭にして第１のプレスユニット２の一対の補助プレスローラ８ａ、８ｂ間および一対のプレスローラ７ａ、７ｂ間を順次通過することによって、折り目ｆに沿ってプレスされる。
【００２５】
図２Ａはブックブロック形成装置の折丁搬送ユニットと糊付けユニットの接続部の斜視図である。また、図２Ｂは折丁が糊付けユニットのセンサーを通過する状態を示す平面図である。
図１および図２Ａを参照して、折丁搬送ユニット３は、この実施例では、フレーム１に取り付けられて、第１のプレスユニット２の出口から折丁Ｓの搬送方向（矢印Ａ）にのびる水平な上流側ベルトコンベヤ１０と、フレーム１に取り付けられて、上流側ベルトコンベヤ１０の出力端から、折丁Ｓの搬送方向（矢印Ａ）に対し角度をなしてのびる下流側ベルトコンベヤ１１と、下流側ベルトコンベヤ１１の搬送面上において折丁Ｓの搬送方向（矢印Ａ）にのびる揃え定規１２と、フレーム１に取り付けられ、揃え定規１２を支持するとともに、折丁Ｓの搬送方向（矢印Ａ）に直交する方向に動かす定規駆動機構（図示はしない）とを有している。
【００２６】
揃え定規１２は、ブックブロック形成装置の運転前のセッティングの際に、定規駆動機構によって所定位置まで動かされて、その位置に固定される。
こうして、第１のプレスユニット２から排出された折丁Ｓは、折丁搬送ユニット３の上流側ベルトコンベヤ１０上を搬送された後、下流側ベルトコンベヤ１１によって折丁Ｓの一側縁を揃え定規１２に沿わせながら糊付けユニット３に向けて搬送される。この搬送の間に、折丁Ｓはその折り目ｆが搬送方向（矢印Ａ）に直交するように姿勢制御される。
【００２７】
図３Ａはブックブロック形成装置の糊付けユニットの斜視図であり、図３Ｂは糊付けユニットの側面図であり、図３Ｃは、糊付けユニットによって糊が適用された折丁の平面図である。
図２Ａ、図３Ａおよび図３Ｂを参照して、糊付けユニット４は、フレーム１に取り付けられ、折丁搬送ユニット３のベルトコンベヤ１１から受け取った折丁Ｓを搬送するベルトコンベヤ１３を有している。ベルトコンベヤ１３の上方には、スライドガイド１４がフレーム１に取り付けられて、ベルトコンベヤ１３を直角に横切ってのびている。
【００２８】
スライドガイド１４には、一対の糊放出ヘッド１５、１６がスライド可能に取り付けられている。糊放出ヘッド１５、１６は、１つまたは複数の下向きの糊噴射ノズル１５ａ、１６ａを備え、ベルトコンベヤ１３上を搬送される折丁Ｓの上面の両側縁に対し糊Ｇを噴出する。
一対の糊放出ヘッド１５、１６は、フレーム１に取り付けられたヘッド駆動機構１７によってスライドせしめられる。
【００２９】
ヘッド駆動機構１７は、ベルトコンベヤ１３の上方両側に配置されて、それぞれスライドガイド１４に平行にのび、かつフレーム１に対して軸まわりに回転可能に支持された一対のボールねじ１８ａ、１８ｂと、フレーム１に取り付けられてベルトコンベヤ１３の両側に配置され、それぞれ対応するボールねじ１８ａ、１８ｂを回転させる一対のモータ１９ａ、１９ｂと、一対のボールねじ１８ａ、１８ｂのそれぞれに係合する各１つのナット部材２０ａ、２０ｂとを有している。
【００３０】
そして、ナット部材２０ａ、２０ｂには、対応する糊放出ヘッド１５、１６が連結され、糊放出ヘッド１５、１６は、モータ１９ａ、１９ｂが正逆回転することによって、スライドガイド１４上をスライドする。
糊放出ヘッド１５、１６の位置は、ブックブロック形成装置の運転前のセッティングの際に、折丁Ｓの幅および折丁Ｓの両側の余白部分の幅に合わせて設定される。
【００３１】
図２Ａに示すように、糊付けユニット４の入口には、折丁Ｓの前端の通過を検出する一対のセンサー２１ａ、２１ｂが、折丁Ｓの搬送方向（矢印Ａ）に直交する方向に互いに間隔をあけて配置されている。そして、センサー２１ａ、２１ｂから出力される検出信号に基づいて糊放出ヘッド１５、１６が動作し、折丁Ｓに糊Ｇが噴出される。
【００３２】
また、図２Ｂに示すように、実施例では、一対のセンサー２１ａ、２１ｂによる折丁の検出時刻のずれに基づいて、折丁の傾きが検出されるようになっている。そして、この検出時刻のずれが予め設定された閾値を超えると、折丁Ｓが傾いていると判断され、ブックブロック形成装置からのブックブロックＢの排出時に分別されて、取り除かれる。
【００３３】
この折丁Ｓの傾き検出によって、次のような効果が得られる。
すなわち、傾いた折丁Ｓに糊付けユニット４による糊塗布がなされも、集積ユニット５による折丁Ｓの集積時に折丁Ｓは突き揃えされるので、このような糊塗布エラーが生じた折丁Ｓが混在するブックブロックＢと、正常に糊塗布がなされた折丁Ｓのみから形成されたブックブロックＢとは外観上区別がつかない。そのため、折丁Ｓの傾き検出がなければ、製造された本をチェックするまで、糊塗布エラーが生じた折丁Ｓを排除することができない。こうして、折丁Ｓの傾き検出を行うことで、製本工程の無駄を省くことができる。
【００３４】
図４Ａはブックブロック形成装置の集積ユニットの斜視図であり、図４Ｂは集積ユニットの突き揃え機構の動作を説明する平面図である。
図１および図４Ａを参照して、集積ユニット５は、糊付けユニット４のベルトコンベヤ１３の出力端の後方に配置され、その上にベルトコンベヤ１３から排出された折丁Ｓが積層される昇降可能な棚２２と、フレーム１に取り付けられ、棚２２を昇降させる棚駆動機構（図示はしない）と、フレーム１に取り付けられ、棚２２の最上位の折丁Ｓの高さ位置を検出する高さ検出センサー（図示はしない）を有している。
【００３５】
そして、高さ検出センサーからの検出信号に基づき、折丁Ｓの積層体Ｐの高さが一定量増加する毎に、それに対応する量だけ棚２２が下降するようになっている。棚２２は、所定数の折丁Ｓが集積されて１つのブックブロックＢが形成された時点で、最低位置まで下降する。
【００３６】
この場合、所定数の折丁Ｓが集積されたことは、集積ユニット５の上流側の適当な位置に折丁検出センサー（図示はしない）とイメージセンサー（図示はしない）を配置し、折丁検出センサーによるカウント値が予め設定された値に達し、または最終の折丁Ｓの余白に印刷されたマークが検出されたことをもって判断される。
【００３７】
図４Ａおよび図４Ｂに示すように、集積ユニット５は、さらに、棚２２上の積層体Ｐの前後面を突き揃える第１の突き揃え機構と、棚２２上の積層体Ｐの両側面を突き揃える第２の突き揃え機構を有している。
第１の突き揃え機構は、フレーム１に取り付けられ、棚２２の上流側端縁の近傍において棚２２に対し垂直にかつ折丁Ｓの搬送方向（矢印Ａ）に対し直角にのびる後方揃え板２３と、後方揃え板２３の下流側に後方揃え板２３から間隔をあけて後方揃え板２３に平行に配置され、後方揃え板２３と協働して積層体Ｐの前後面上部を突き揃える前方揃え板２４と、フレーム１に取り付けられ、前方揃え板２４を折丁Ｓの搬送方向（矢印Ａ）に往復運動させる第１の揃え板駆動機構２５とを備えている。
【００３８】
第２の突き揃え機構は、棚２２の両側に配置されて棚２２に対し垂直にかつ折丁Ｓの搬送方向（矢印Ａ）にのび、積層体Ｐの両側面上部を突き揃える一対の側方揃え板２６と、フレーム１に取り付けられ、一対の側方揃え板２６を一定間隔を維持した状態で折丁Ｓの搬送方向（矢印Ａ）に直角な方向に往復運動させる第２の揃え板駆動機構２７とを備えている。
【００３９】
集積ユニット５は、さらに、最低位置まで下降した棚２２からブックブロックＢを第２のプレスユニット６に向けて押し出す押出し機構（図示はしない）を有している。
【００４０】
再び図１を参照して、第２のプレスユニット６は、集積ユニット５の棚２２から押し出し機構（図示はしない）によって押し出されたブックブロックＢをフレーム１の出口１ｂまで搬送する水平なベルトコンベヤ２８を有しており、ベルトコンベヤ２８の搬送面の中間にはプレスステーションが設けられている。
【００４１】
第２のプレスユニット６は、また、プレスステーションの上方において、ベルトコンベヤ２８の幅方向に間隔をあけて配置されるとともに、それぞれブックブロックＢの搬送方向（矢印Ａ）にのびる一対の昇降可能な押圧プレート２９ａ、２９ｂと、一対の押圧プレート２９ａ、２９ｂを同時に昇降させる一対のプレート駆動機構３０ａ、３０ｂを有している。
また、プレスステーションにおけるベルトコンベヤ２８上のブックブロックＢの両側には、一対の垂直なガイドプレート３１ａ、３１ｂが配置されてブックブロックＢの搬送方向（矢印Ａ）にのびている。
そして、一対の押圧プレート２９ａ、２９ｂは、ベルトコンベヤ２８上のブックブロックＢから上方に離間した待機位置と、ブックブロックＢの上面両側を下向きに押し付ける押圧位置とをとるようになっている。
【００４２】
なお、図示はしないが、一対の押圧プレート２９ａ、２９ｂ、一対のプレート駆動機構３０ａ、３０ｂ、および一対のガイドプレート３１ａ、３１ｂは、それぞれ、フレーム１に設けられた適当な支持機構によって、ブックブロックＢの搬送方向（矢印Ａ）に直角な方向に移動可能に支持されている。
【００４３】
第２のプレスユニット６は、さらに、ブックブロックＢがプレスステーションに達したときを検出するセンサー（図示はしない）を有し、このセンサーから検出信号が出力されたときにベルトコンベヤ２８が一時停止し、その停止の間に、一対の押圧プレート２９ａ、２９ｂが待機位置から押圧位置まで下降した後、再び待機位置まで上昇する。
こうして、ブックブロックＢがベルトコンベヤ２８および一対の押圧プレート２９ａ２９ｂによって上下にプレスされ、ブックブロックＢの各折丁の接着がより安定化する。
【００４４】
再び図１を参照して、本発明のブックブロック形成装置によって形成されたブックブロックＢの前面Ｂ１（折丁の折り目側の端面）、後面Ｂ２（折丁の折り目と反対側の端面）、および両側面Ｂ３、Ｂ４は、それぞれ当該ブックブロックＢの背、小口および天地を形成し、後続の工程において、ブックブロックＢの背Ｂ１に切削、糊塗布および表紙付がなされた後、三方断裁によって、表紙が貼着されたブックブロックの小口Ｂ２および天地Ｂ３、Ｂ４が断裁されて本が完成する。
【００４５】
そして、図３Ｃに示すように、ブックブロック形成時の折丁間の接着部（糊Ｇ）は、三方断裁の際に切り落とされ（図３Ｃの斜線部分Ｃ）、製造された本に残ることがない。そのため、本の開きがよくなる。
【００４６】
また、本発明のブックブロック形成装置においては、折丁Ｓを一部ずつ第１のプレスユニット２によって折り目ｆに沿ってプレスした後、折丁を集積するので、図５Ａに示すように、ブックブロックＢの前面(背）Ｂ１の反り返りが抑制され、それによって、ブックブロックＢが多数の折丁Ｓから形成される場合であっても、後続の工程において、折丁Ｓに皺が生じる等の製本エラーの発生が防止される。
この第１のプレスユニット２によるプレスは、特に、用紙を長さ方向に２つ折りにした後、幅方向に２つ折りにする等、用紙を互いに直交する方向に複数回折り畳むことで形成した折丁ＳからブックブロックＢを形成する場合に有効である。
【符号の説明】
【００４７】
１  フレーム
１ａ  入口
１ｂ  出口
２  第１のプレスユニット
３  折丁搬送ユニット
４  糊付けユニット
５  集積ユニット
６  第２のプレスユニット
７ａ、７ｂ  プレスローラ
８ａ、８ｂ  補助プレスローラ
９  折丁供給ユニット
９ａ、９ｂ  ベルトコンベヤ
１０  上流側ベルトコンベヤ
１１  下流側ベルトコンベヤ
１２  揃え定規
１３  ベルトコンベヤ
１４  スライドガイド
１５、１６  糊放出ヘッド
１５ａ、１６ａ  糊噴射ノズル
１７  ヘッド駆動機構
１８ａ、１８ｂ  ボールねじ
１９ａ、１９ｂ  モータ
２０ａ、２０ｂ  ナット部材
２１ａ、２１ｂ  センサー
２２  棚
２３  後方揃え板
２４  前方揃え板
２５  第１の揃え板駆動機構
２６  側方揃え板
２７  第２の揃え板駆動機構
２８  ベルトコンベヤ
２９ａ、２９ｂ  押圧プレート
３０ａ、３０ｂ  プレート駆動機構
３１ａ、３１ｂ  ガイドプレート
Ａ  折丁の搬送方向
Ｂ  ブックブロック
Ｂ１  背
Ｂ２  小口
Ｂ３、Ｂ４  天地
ｆ  折り目
Ｇ  糊
Ｋ  ブックブロック
Ｋ１、Ｋ２  側面
Ｍ  折丁
ｎ  折り目
Ｐ  折丁の集積体
Ｓ  折丁
Ｖ  表紙
ｗ  接着部
【図１】
2016207977.tif 000003
【図２】
2016207977.tif 000004
【図３】
2016207977.tif 000005
【図４】
2016207977.tif 000006
【図５】
2016207977.tif 000007
【手続補正書】
【提出日】平成29年12月8日(2017.12.8)
【手続補正１】
【補正対象書類名】特許請求の範囲
【補正対象項目名】請求項６
【補正方法】変更
【補正の内容】
【請求項６】
前記第２のプレスユニットは、
前記集積ユニットの前記棚から前記押し出し機構によって押し出された前記ブックブロックを前記フレームの出口まで搬送する水平な第２のベルトコンベヤを有し、前記第２のベルトコンベヤの搬送面の中間にはプレスステーションが設けられており、
前記第２のプレスユニットは、さらに、
前記プレスステーションの上方において、前記第２のベルトコンベヤの幅方向に間隔をあけて配置されるとともに、それぞれ前記ブックブロックの搬送方向にのびる一対の昇降可能な押圧プレートと、
前記一対の押圧プレートを同時に昇降させる第６の駆動機構と、を有し、前記一対の押圧プレートは、前記第２のベルトコンベヤ上の前記ブックブロックから上方に離間した待機位置と、前記ブックブロックの上面両側を下向きに押し付ける押圧位置とをとるようになっており、
前記第２のプレスユニットは、さらに、
前記ブックブロックが前記プレスステーションに達したときを検出する第２のセンサーを有し、前記第２のセンサーから検出信号が出力されたときに前記第２のベルトコンベヤが一時停止し、その停止の間に、前記一対の押圧プレートが前記待機位置から前記押圧位置まで下降した後、再び前記待機位置まで上昇することを特徴とする請求項５に記載のブックブロック形成装置。
【手続補正２】
【補正対象書類名】明細書
【補正対象項目名】００１４
【補正方法】変更
【補正の内容】
【００１４】
本発明のさらに別の好ましい実施例によれば、前記第２のプレスユニットは、前記集積ユニットの前記棚から前記押し出し機構によって押し出された前記ブックブロックを前記フレームの出口まで搬送する水平な第２のベルトコンベヤを有し、前記第２のベルトコンベヤの搬送面の中間にはプレスステーションが設けられており、前記第２のプレスユニットは、さらに、前記プレスステーションの上方において、前記第２のベルトコンベヤの幅方向に間隔をあけて配置されるとともに、それぞれ前記ブックブロックの搬送方向にのびる一対の昇降可能な押圧プレートと、前記一対の押圧プレートを同時に昇降させる第６の駆動機構と、を有し、前記一対の押圧プレートは、前記第２のベルトコンベヤ上の前記ブックブロックから上方に離間した待機位置と、前記ブックブロックの上面両側を下向きに押し付ける押圧位置とをとるようになっており、前記第２のプレスユニットは、さらに、前記ブックブロックが前記プレスステーションに達したときを検出するセンサーを有し、前記センサーから検出信号が出力されたときに前記第２のベルトコンベヤが一時停止し、その停止の間に、前記一対の押圧プレートが前記待機位置から前記押圧位置まで下降した後、再び前記待機位置まで上昇する。
【国際調査報告】
2016207977.tif 000008
2016207977.tif 000009
2016207977.tif 000010
2016207977.tif 000011